(57)【要約】【課題】記録紙の良好な着脱性を確保しつつ、装置コストを低減する。【解決手段】送りローラ３は側壁２１，２２の正面側の位置に、側壁２１，２２に対して直交する第１回転軸Ｌ１を中心として回転可能に配設され、操作レバー９１は非操作端部側が側壁２１における送りローラ３の奥側に第２回転軸Ｌ２を中心として取り付けられ、一対の第１支持アーム８は、各側壁２１，２２のうちの対応する側壁における送りローラ３の奥側に第３回転軸Ｌ３を中心として回動自在に取り付けられ、相互間に紙収納箱７が掛け渡されている。側壁２１側の第１支持アーム８が操作レバー９１に対する操作に応じて回動させられ、各第１支持アーム８が記録ペン９の待機位置への移動に連動して紙収納箱７を底板７１と送りローラ３とが近接するアクセス位置に移動させ、一方、記録ペン９の記録位置への移動に連動して底板７１と送りローラ３とが離間する収納位置に移動させる。【選択図】図５
2012181125.tif 000002
【特許請求の範囲】
【請求項１】
筐体内に配設された紙収納箱の底板に載置された記録紙を送りローラで記録台上に繰り出しつつ、当該記録台上において当該記録紙に記録ペンで測定値を記録可能に構成されると共に、操作レバーに対する操作に応じて前記記録ペンを前記記録台に近接する記録位置と当該記録位置から上方に離間した待機位置との間で移動させるペンリフト機構を有する記録計であって、
前記送りローラは、前記筐体を構成する互いに平行な一対の側壁の正面側の位置に、当該一対の側壁に対して直交する第１回転軸を中心として回転可能な状態で少なくとも１つ配設され、
前記操作レバーは、非操作端部側が前記一対の側壁のうちの一方の側壁における前記送りローラの奥側に前記第１回転軸と平行な第２回転軸を中心として回動自在に取り付けられ、
前記一対の側壁のうちの対応する側壁における前記送りローラの奥側に前記第１回転軸と平行な第３回転軸を中心として回動自在にそれぞれ取り付けられると共に、相互間に前記紙収納箱が掛け渡された状態で取り付けられて、当該紙収納箱を当該送りローラの奧側において前記第３回転軸を中心として回動自在に支持する一対の支持アームを備え、
前記一対の支持アームのうちの前記一方の側壁に取り付けられて前記操作レバーと連結された一方の支持アームが当該操作レバーに対する操作に応じて回動させられることにより、当該一対の支持アームが、前記記録ペンの前記待機位置への移動に連動して前記紙収納箱を前記底板と前記送りローラとが近接するアクセス位置に移動させると共に、当該記録ペンの前記記録位置への移動に連動して当該紙収納箱を当該底板と当該送りローラとが離間する収納位置に移動させる記録計。
【請求項２】
前記紙収納箱は、平板状に形成された前記底板における奥側の縁部に上方に向けて立設された背板、および当該背板の上端から当該底板における正面側の縁部を越えて前記送りローラ側に延出する上壁を有して構成され、
前記上壁は、前記アクセス位置では正面側の縁部が前記記録台から上方に離間した位置に位置して前記一対の側壁の前記正面側からの前記紙収納箱内部へのアクセスを可能とし、前記収納位置では前記正面側の縁部が前記記録台と接触する位置に位置して前記アクセスを規制する請求項１記載の記録計。
【請求項３】
前記一方の側壁の一部を構成する一方のパネル側壁と、前記他方の側壁の一部を構成する他方のパネル側壁と、前記各パネル側壁の上部間に掛け渡されたパネル上壁と、前記各パネル側壁の下端間に掛け渡されて、前記記録ペンで記録された前記記録紙が載置されるパネル下壁とを有して構成されたフロントパネルを備え、
前記記録台は、前記送りローラをその正面側の一部のみを露出させた状態で覆う樋状に形成されて前記各パネル側壁の中間部位間に掛け渡されることにより、前記フロントパネルと一体化されている請求項１または２記載の記録計。
【発明の詳細な説明】
【技術分野】
【０００１】
本発明は、紙収納箱から記録紙を繰り出しつつ、この記録紙に記録ペンで波形などの測定値を記録する記録計（ペンレコーダー）に関するものである。
【背景技術】
【０００２】
この種の記録計として、下記特許文献１に開示された記録計が知られている。この記録計は、記録紙（チャート）が収納されるチャート架台に記録ドラムが回転軸を中心として回転自在に取り付けられており、チャート架台への記録紙の収納またはチャート架台からの記録紙の取り出しの際には、チャート架台を記録ドラム毎、装置フレームから引き出す構成を採用している。この構成により、この記録計では、チャート架台への記録紙の収納および取り出しを容易に行い得るようになっている。
【先行技術文献】
【特許文献】
【０００３】
【特許文献１】実開平６−２５７２５号公報（第５−８頁、第１図）
【発明の概要】
【発明が解決しようとする課題】
【０００４】
ところが、この記録計には、以下の解決すべき課題が存在している。すなわち、この記録計では、記録ドラムが取り付けられているチャート架台が装置フレームに対して着脱可能な構成となっていることから、装置フレーム側に配設されている駆動モータの回転力を利用してこの記録ドラムを回転させるためのギア機構を装置フレーム側とチャート架台側とに分割すると共に、チャート架台の着脱に合わせて、装置フレーム側のギア機構に対してチャート架台側のギア機構を連結・分離可能に構成する必要がある。このため、この記録計には、記録紙の着脱性は良好であるものの、駆動モータの回転力を記録ドラムに伝達するための上記ギア機構が複雑化するという課題が存在している。また、記録ドラム上において記録ペンで記録紙に波形など正確に記録するためには、記録ドラムおよび記録ペンの互いの位置関係が正確に位置合わせされていなければならない（つまり、チャート架台を装着した際に、記録ペンが取り付けられている装置フレームに対して記録ドラムが正確に位置合わせされていなければならない）ため、チャート架台、記録ドラムおよび装置フレームを高い精度で製作する必要があることから、上記したギア機構の複雑化と合わせて装置コストが上昇しているという課題も存在している。
【０００５】
本発明は、かかる課題を改善すべくなされたものであり、記録紙の良好な着脱性を確保しつつ、装置コストの低減を図り得る記録計を提供することを主目的とする。
【課題を解決するための手段】
【０００６】
上記目的を達成すべく請求項１記載の記録計は、筐体内に配設された紙収納箱の底板に載置された記録紙を送りローラで記録台上に繰り出しつつ、当該記録台上において当該記録紙に記録ペンで測定値を記録可能に構成されると共に、操作レバーに対する操作に応じて前記記録ペンを前記記録台に近接する記録位置と当該記録位置から上方に離間した待機位置との間で移動させるペンリフト機構を有する記録計であって、前記送りローラは、前記筐体を構成する互いに平行な一対の側壁の正面側の位置に、当該一対の側壁に対して直交する第１回転軸を中心として回転可能な状態で少なくとも１つ配設され、前記操作レバーは、非操作端部側が前記一対の側壁のうちの一方の側壁における前記送りローラの奥側に前記第１回転軸と平行な第２回転軸を中心として回動自在に取り付けられ、前記一対の側壁のうちの対応する側壁における前記送りローラの奥側に前記第１回転軸と平行な第３回転軸を中心として回動自在にそれぞれ取り付けられると共に、相互間に前記紙収納箱が掛け渡された状態で取り付けられて、当該紙収納箱を当該送りローラの奧側において前記第３回転軸を中心として回動自在に支持する一対の支持アームを備え、前記一対の支持アームのうちの前記一方の側壁に取り付けられて前記操作レバーと連結された一方の支持アームが当該操作レバーに対する操作に応じて回動させられることにより、当該一対の支持アームが、前記記録ペンの前記待機位置への移動に連動して前記紙収納箱を前記底板と前記送りローラとが近接するアクセス位置に移動させると共に、当該記録ペンの前記記録位置への移動に連動して当該紙収納箱を当該底板と当該送りローラとが離間する収納位置に移動させる。
【０００７】
また、請求項２記載の記録計は、請求項１記載の記録計において、前記紙収納箱は、平板状に形成された前記底板における奥側の縁部に上方に向けて立設された背板、および当該背板の上端から当該底板における正面側の縁部を越えて前記送りローラ側に延出する上壁を有して構成され、前記上壁は、前記アクセス位置では正面側の縁部が前記記録台から上方に離間した位置に位置して前記一対の側壁の前記正面側からの前記紙収納箱内部へのアクセスを可能とし、前記収納位置では前記正面側の縁部が前記記録台と接触する位置に位置して前記アクセスを規制する。
【０００８】
また、請求項３記載の記録計は、請求項１または２記載の記録計において、前記一方の側壁の一部を構成する一方のパネル側壁と、前記他方の側壁の一部を構成する他方のパネル側壁と、前記各パネル側壁の上部間に掛け渡されたパネル上壁と、前記各パネル側壁の下端間に掛け渡されて、前記記録ペンで記録された前記記録紙が載置されるパネル下壁とを有して構成されたフロントパネルを備え、前記記録台は、前記送りローラをその正面側の一部のみを露出させた状態で覆う樋状に形成されて前記各パネル側壁の中間部位間に掛け渡されることにより、前記フロントパネルと一体化されている。
【発明の効果】
【０００９】
請求項１記載の記録計によれば、アクセス位置での紙収納箱への記録紙の良好な着脱性を確保しつつ、送りローラを回転させるためのギア機構の分割を回避して装置コストの低減を図ることができる。
【００１０】
請求項２記載の記録計によれば、アクセス位置での紙収納箱への記録紙の着脱性を確保しつつ、収納位置での紙収納箱への不要なアクセスを紙収納箱の上壁によって確実に防止することができる。また、紙収納箱が収納位置に位置する状態において、上壁における正面側の縁部が記録台と接触する状態にあるため、紙収納箱の上壁が記録紙の押さえ（記録紙押さえ）としても機能することができ、記録紙押さえを別途設ける構成と比較して、記録計の構成を簡略化することができる。
【００１１】
請求項３記載の記録計によれば、記録台がフロントパネルに一体化されているため、記録台を別部材として製造した後にフロントパネルと連結させる構成と比較して、フロントパネルに対する記録台の取り付け精度を高めることができると共に、組み立て工程を簡略化することもできる。
【図面の簡単な説明】
【００１２】
【図１】記録計１の正面斜視図である。
【図２】図１におけるＷ−Ｗ線に沿った平面断面図である（ケース本体５は図示せず）。
【図３】図２の矢印Ａ方向から見た紙収納箱７、第１支持アーム８、記録ペン９、ペン移動機構１０およびペンリフト機構１１を説明するための側面図である（紙収納箱７が収納位置に位置し、かつ記録ペン９が記録位置に位置するときの側面図）。
【図４】図２におけるＸ−Ｘ線に沿ったフロントパネル４の断面図（第１回転軸Ｌ１と直交する方向に沿ったフロントパネル４の断面図）、および一対の側壁２１，２２（送りローラ３、紙収納箱７およびペンリフト機構１１が装着された状態）の側面図である。
【図５】紙収納箱７が収納位置に位置し、かつ記録ペン９が記録位置に位置するときの紙収納箱７、第１支持アーム８、記録ペン９、ペン移動機構１０およびペンリフト機構１１の構成を説明するための斜視図である。
【図６】図２の矢印Ａ方向から見た紙収納箱７、第１支持アーム８、記録ペン９、ペン移動機構１０およびペンリフト機構１１を説明するための側面図である（紙収納箱７が収納位置に位置し、かつ記録ペン９がリフト位置に位置するときの側面図）。
【図７】図２の矢印Ａ方向から見た紙収納箱７、第１支持アーム８、記録ペン９、ペン移動機構１０およびペンリフト機構１１を説明するための側面図である（紙収納箱７がアクセス位置に位置し、かつ記録ペン９が待機位置に位置するときの側面図）。
【図８】紙収納箱７がアクセス位置に位置し、かつ記録ペン９が待機位置に位置するときの紙収納箱７、第１支持アーム８、記録ペン９、ペン移動機構１０およびペンリフト機構１１の構成を説明するための斜視図である。
【発明を実施するための形態】
【００１３】
以下、添付図面を参照して、記録計１の実施の形態について説明する。
【００１４】
最初に、記録計１の構成について、図１〜図８を参照して説明する。
【００１５】
記録計１は、図１，２，３，５に示すように、筐体２、一対の送りローラ３、フロントパネル４、ケース本体５、記録台６、紙収納箱７、一対の支持アーム（以下、「第１支持アーム」ともいう）８、１または複数（本例では一例として図３に示すように２つ）の記録ペン９、ペン移動機構１０（図３，５参照）およびペンリフト機構１１（図２，３，５参照）を備え、筐体２内に配設された紙収納箱７から記録紙１２を一対の送りローラ３で記録台６上に繰り出しつつ、この記録台６上において各記録ペン９で波形や文字や記号などの測定値を記録紙１２に記録する。
【００１６】
筐体２は、フロントパネル４、ケース本体５、および一対の側壁２１，２２を備えている。この場合、一方の側壁２１は、図１，２に示すように、フロントパネル４の後述する一方のパネル側壁４１と、このパネル側壁４１の上部にパネル側壁４１と平行な状態で固定された一方の取付板２３とを含んで構成されている。また、他方の側壁２２は、図１に示すように、フロントパネル４の後述する他方のパネル側壁４２と、このパネル側壁４２の上部に、取付板２３と対向し、かつパネル側壁４２と平行な状態で固定された他方の取付板２４とを含んで構成されている。なお、図２では、パネル側壁４１におけるパネル側壁４２との非対向面側（外面側）に配設された取付板２３がパネル側壁４１から離間し、またパネル側壁４２におけるパネル側壁４１との非対向面側（外面側）に配設された取付板２４がパネル側壁４２から離間した状態で示されているが、実際には、各取付板２３，２４は、各パネル側壁４１，４２に形成された不図示のボス（突起部）にねじ止めされて固定されている。
【００１７】
一対の送りローラ３は、同一径に形成されて、図１，２に示すように、一対の側壁２１，２２の正面側の位置に、具体的には、側壁２１，２２を構成するフロントパネル４の各パネル側壁４１，４２間に、各パネル側壁４１，４２に対して直交する第１回転軸Ｌ１を中心として回転自在な状態で、かつ記録紙１２の幅に対応する距離だけ互いに離間した状態で配設されている。本例では、各送りローラ３の外周面には、記録紙１２における幅方向の両端部に形成された不図示のスプロケット孔に係合するスプロケット爪３１が形成されている。このため、各送りローラ３は、各々のスプロケット爪３１の第１回転軸Ｌ１方向に沿った距離が記録紙１２の幅方向の両端部に形成されたスプロケット孔の距離と同じになる距離（記録紙１２の幅に対応する距離）だけ離間して配設されている。
【００１８】
具体的には、各送りローラ３は、一例として、中心軸が第１回転軸Ｌ１上に位置した状態でパネル側壁４１，４２間に掛け渡して配設された駆動シャフト３２に取り付けられて、フロントパネル４と一体化されている。また、駆動シャフト３２は、両端がパネル側壁４１，４２によって回動自在に支持されることにより、第１回転軸Ｌ１を中心として回動可能に構成されている。また、駆動シャフト３２は、本例では一例として、図２に示すように、パネル側壁４１側に配設された駆動機構５１によって回転駆動される。この駆動機構５１は、一例として、パネル側壁４１の下部側に取り付けられた電動モータ５１ａと、パネル側壁４１の下部側に取り付けられて、電動モータ５１ａの回転力を駆動シャフト３２に伝達するギア機構５１ｂとを備えている。この構成により、各送りローラ３は、駆動機構５１によって駆動シャフト３２が回転駆動されることにより、第１回転軸Ｌ１を中心として駆動シャフト３２と共に一体的に回転する。
【００１９】
フロントパネル４は、図１に示すように、取付板２３，２４などが収容されたケース本体５に対して、その正面側に取り付けられる部材であって、図１，２に示すように、２つのパネル側壁４１，４２、パネル上壁４３、パネル下壁４４、パネル正面壁（本例では一例として２つのパネル正面壁４５，４６）、およびパネル奥壁４７を備え、これらが合成樹脂材料を用いて一体的に形成されている。この場合、パネル側壁４１，４２は、互いに平行で、かつ対向する状態で配設されている。
【００２０】
パネル上壁４３は、図１に示すように、２つのパネル側壁４１，４２の各上端間にほぼ水平な状態（パネル側壁４１，４２と直交する状態）で掛け渡されている。パネル下壁４４は、２つのパネル側壁４１，４２の各下端間に水平な状態（パネル上壁４３と平行な状態）で掛け渡されて、記録ペン９で記録された記録紙１２が載置される。パネル正面壁４５は、各パネル側壁４１，４２のうちの一方（本例では一例として、図１，２に示すようにパネル側壁４１）における正面側の縁部に、パネル側壁４１と直交する状態で連結されている。また、パネル正面壁４５には、ペンリフト機構１１を作動させるための操作レバー９１をパネル正面壁４５から正面側に突出させると共に、予め規定された位置に維持させるためのガイド孔４５ａが形成されている。本例では、一例として、操作レバー９１は、ガイド孔４５ａにより、最も下方に回動した第１位置（操作端部がガイド孔４５ａの下端に位置する図３の位置）、第１位置から上方に回動した第２位置（操作端部がガイド孔４５ａの中間に位置する図６の位置）、および第２位置からさらに上方に回動した第３位置（操作端部がガイド孔４５ａの上端に位置する図７の位置）のうちの任意の位置に回動させられて維持される。
【００２１】
一方、パネル正面壁４６は、他方のパネル側壁４２における正面側の縁部に、パネル側壁４２と直交する状態で連結されている。また、パネル正面壁４６には、記録計１に対して各種の操作や設定を行うための不図示のスイッチなどが配設されている。パネル奥壁４７は、図１，４に示すように、パネル下壁４４の奥側の位置（図４では左側の位置）に、パネル側壁４１，４２と直交し、かつ上方に起立した状態で形成されている。
【００２２】
記録台６は、合成樹脂材料を用いて構成されると共に、本例では一例として、図１，２に示すように、２つのパネル側壁４１，４２の各中間部位（上下方向での中間に位置する部位）間に、パネル側壁４１，４２と直交する状態で掛け渡されることにより、フロントパネル４と一体化されている。また、記録台６は、図４に示すように、記録計１の奥側（同図中の左側）が開口し、かつ記録計１の正面側（同図中の右側）に位置する部位の断面形状（第１回転軸Ｌ１と直交する方向に沿った断面形状）が各送りローラ３の外周面とほぼ同じ外径の円弧状となる樋状に形成されている。また、記録台６には、図１に示すように、送りローラ３の厚みに合わせた幅のスリット６ａが各送りローラ３に対応する部位に開口されている。この構成により、記録台６は、一対の送りローラ３をその正面側の一部のみをスリット６ａから露出させた状態で覆うことが可能となっている。また、フロントパネル４では、パネル側壁４１，４２、パネル下壁４４およびパネル奥壁４７で区画される領域（記録台６の下方領域）が、記録済みの記録紙１２を収納する収納部として機能する。
【００２３】
紙収納箱７は、一例として金属板または剛性を有する合成樹脂板を用いて形成されて、図３，５に示すように、記録紙１２が載置される平板状（本例では長方形）の底板７１、この底板７１における奥側の縁部（図３，６中において符号Ｂ１で示される縁部）に上方に向けて立設（本例では底板７１と直交する状態で立設）された背板７２、底板７１におけるパネル側壁４１，４２側の各縁部に上方に向けて立設された一対の側板７３，７４、および背板７２の上端の縁部Ｃから底板７１の上方に延出するように配設された上壁７５を有して、図１に示すように、フロントパネル４の正面側から内部にアクセス可能な箱体に形成されている。
【００２４】
また、上壁７５は、一例として、図３，５に示すように、底板７１における正面側（送りローラ３側）の縁部（図３，６中において符号Ｂ２で示される縁部）までの部位７５ａが底板７１とほぼ平行な状態で延出し、縁部Ｂ２からさらに底板７１を越えて延出する部位７５ｂが、底板７１を含む仮想平面に徐々に接近する状態で延出している。具体的には、上壁７５は、紙収納箱７が図３に示す後述の収納位置に位置して、その底板７１がほぼ水平状態（部位７５ａもほぼ水平状態）にあるときに、この部位７５ａから延出する部位７５ｂの先端が記録台６と接触する。この構成により、紙収納箱７の上壁７５は、紙収納箱７が収納位置に位置するときには、フロントパネル４の正面側からの紙収納箱７の内部へのアクセス（記録紙１２の出し入れ）を規制するカバーとして機能すると共に、紙収納箱７内から記録台６上に引き出された記録紙１２をその先端（部位７５ｂの先端）と記録台６との間で押さえる紙押さえとしても機能する。
【００２５】
一対の第１支持アーム８は、一例として金属板を用いて形成されて、図２，３，５に示すように、一対の側壁２１，２２で挟まれた領域内に配設されている。また、一対の第１支持アーム８は、一対の側壁２１，２２のうちの対応する側壁における（具体的には、一対の取付板２３，２４のうちの対応する取付板における）送りローラ３の奥側に、第１回転軸Ｌ１と平行な第３回転軸Ｌ３を中心として、かつ対応する取付板と平行な平面内において回動自在にそれぞれ取り付けられている。具体的には、各第１支持アーム８は、奥側の端部（図２では上側の端部、図３では左側の端部、図５では右側の端部）が、対応する取付板２３，２４に第３回転軸Ｌ３と同軸にそれぞれ配設された回動シャフト８ａを介してそれぞれ連結されている。また、各第１支持アーム８は、回動する正面側の端部（図２では下側の端部、図３では右側の端部、図５では左側の端部）側に、第１係合孔（本例では一例として平面視三角形の孔）８ｂが形成されている。また、各第１支持アーム８間には、図２，５に示すように、紙収納箱７が掛け渡された状態で配設されている（取り付けられている）。
【００２６】
以上の構成により、紙収納箱７は、各第１支持アーム８によって支持されることにより、一対の側壁２１，２２で挟まれた領域内における送りローラ３の奥側において、各第１支持アーム８の第３回転軸Ｌ３を中心として回動して、図１，３，５，６に示す収納位置と、図７，８に示すアクセス位置との間を移動する。この場合、図１，３，５，６に示す収納位置では、紙収納箱７は、その底板７１が送りローラ３から奥側に最も離間し、かつほぼ水平な状態となる。また、上記したように、紙収納箱７の上壁７５の先端（部位７５ｂの先端）が記録台６と接触する状態となり、上壁７５（具体的には、その部位７５ｂ）が紙収納箱７に対するカバーとして機能して、紙収納箱７内へのアクセスを規制する状態となる。
【００２７】
一方、図７，８に示すアクセス位置では、紙収納箱７は、その底板７１が送りローラ３に最も接近した状態となり、かつ底板７１における正面側の縁部Ｂ２が記録台６の上端とほぼ等しい高さとなる。また、紙収納箱７の上壁７５の先端（部位７５ｂの先端）は、記録台６の上方に大きく離間した状態（記録台６との間が大きく開いた状態）となる。このため、このアクセス位置では、紙収納箱７の内部へのアクセスが可能な状態となる。
【００２８】
各記録ペン９は、図３，５に示すように、一対の側壁２１，２２間に、ペン移動機構１０によって第１回転軸Ｌ１と平行な方向に沿ってスライド可能に配設されている。本例では、ペン移動機構１０は一例として、一対のガイドレール二組（一対のガイドレール８１，８１、一対のガイドレール８２，８２）と、スライド体８３，８４と、不図示の駆動部とを備えている。ガイドレール８１，８１およびガイドレール８２，８２は、一対の側壁２１，２２間（具体的には、一対の取付板２３，２４間）に、第１回転軸Ｌ１と平行な状態で、かつガイドレール８１，８１がガイドレール８２，８２の上側に位置した状態で掛け渡されている。スライド体８３は、ガイドレール８１，８１に、またスライド体８４はガイドレール８２，８２に、それぞれスライド自在に支持されている。したがって、スライド体８３は、スライド体８４の上側においてスライドする構成となっている。駆動部は、各スライド体８３，８４を、対応するガイドレール８１，８１またはガイドレール８２，８２に沿って独立してスライドさせることが可能となっている。
【００２９】
以上のように構成された各スライド体８３，８４には、駆動アーム８５，８６が、第１回転軸Ｌ１と平行な回転軸Ｌ５，Ｌ６を中心として、紙収納箱７よりも上側に位置した状態で回動するように取り付けられている。各記録ペン９は、この駆動アーム８５，８６の各先端（自由端）に取り付けられている。
【００３０】
ペンリフト機構１１は、図２，３，５に示すように、１つの操作レバー９１、一対の第２支持アーム９２、１本の第１リフトバー９３および１本の第２リフトバー９４を備えている。なお、図３，５，６，７，８では、各部材の区別を容易にするため、操作レバー９１については一点鎖線（太線）、一対の第２支持アーム９２については実線（細線）で示している。
【００３１】
操作レバー９１は、一例として金属板を用いて形成されて、図２に示すように、側壁２１の外側の面（取付板２３およびパネル側壁４１の各外側の面）に配設されている。また、操作レバー９１は、奥側の端部（非操作端部）が取付板２３の外側の面（取付板２４との非対向面）に、第１回転軸Ｌ１と平行な第２回転軸Ｌ２を中心として回動自在に取り付けられている。また、操作レバー９１は、その先端側（自由端となる正面側の操作端部側）が、図１，２に示すようにパネル正面壁４５に形成されたガイド孔４５ａから突出する状態で配設されている。この構成により、操作レバー９１は、操作端部（先端）を操作してガイド孔４５ａに沿って上下に動かすことにより、取付板２３およびパネル側壁４１と平行な平面内において第２回転軸Ｌ２を中心として回動する。また、図３，５に示すように、操作レバー９１には、長さ方向に沿った中間部位に、第２係合孔（本例では一例として長さ方向と平行な長孔）９１ａが形成されている。
【００３２】
一対の第２支持アーム９２は、一例として金属板を用いて形成されて、図２に示すように、一方の第２支持アーム９２が、取付板２３とパネル側壁４１との間の隙間に、パネル側壁４１と平行な状態で配設され、他方の第２支持アーム９２が、取付板２４とパネル側壁４２との間の隙間にパネル側壁４２と平行な状態で配設されている。また、パネル側壁４１側の第２支持アーム９２は、正面側の端部がパネル側壁４１の外側の面（パネル側壁４２との非対向面）に、第１回転軸Ｌ１と平行な第４回転軸Ｌ４を中心として回動自在に取り付けられている。この構成により、この一方の第２支持アーム９２は、自由端となる奥側の端部が取付板２３およびパネル側壁４１と平行な平面内において第４回転軸Ｌ４を中心として回動する。また、一方の第２支持アーム９２には、図３，５に示すように、操作レバー９１の第２係合孔９１ａ内に進入して第２係合孔９１ａと係合する係合ピン９２ａが形成されている。したがって、一方の第２支持アーム９２は、操作レバー９１の回動に連動して、第４回転軸Ｌ４を中心として回動するように構成されている。なお、操作レバー９１とこの一方の第２支持アーム９２との間には、取付板２３が介在しているが、係合ピン９２ａは、図１に示すように取付板２３に形成された逃げ孔２３ａを介して操作レバー９１側に突出する。
【００３３】
一方、側壁２２側の他方の第２支持アーム９２も同様にして、正面側の端部がパネル側壁４２の外側の面（パネル側壁４１との非対向面）に、第４回転軸Ｌ４を中心として回動自在に取り付けられている。この構成により、この他方の第２支持アーム９２は、自由端となる奥側の端部が取付板２４およびパネル側壁４２と平行な平面内において第４回転軸Ｌ４を中心として回動する。また、他方の第２支持アーム９２は、フロントパネル４の奥側において、互いに平行な第１リフトバー９３および第２リフトバー９４を介して一方の第２支持アーム９２と正対した状態で連結されている。したがって、一対の第２支持アーム９２は、互いに正対した状態で第４回転軸Ｌ４を中心として回動する。
【００３４】
この場合、図３，５に示すように、各リフトバー９３，リフトバー９４は、第１リフトバー９３が第２リフトバー９４の上方に位置するように、各第２支持アーム９２に対して直交する状態で連結されている。また、第１リフトバー９３は、上側のスライド体８３に取り付けられた駆動アーム８５の下側を通過すると共に、スライド体８４に取り付けられた駆動アーム８６の上側を通過するように配設されることにより、駆動アーム８５を支持可能に構成されている。一方、第２リフトバー９４は、各駆動アーム８５，８６の下側を通過するように配設されることにより、駆動アーム８６を支持可能に構成されている。また、第２リフトバー９４は、紙収納箱７の両側を支持する一対の第１支持アーム８に形成されている三角形状の第１係合孔８ｂ内に挿通されている。
【００３５】
以上の構成により、操作レバー９１の回動に連動して、一対の第２支持アーム９２が正対した状態で回動し、これに伴い、各リフトバー９３，リフトバー９４も円弧状の軌跡を描いて上下動する。このため、各リフトバー９３，リフトバー９４のうちの上側に位置する第１リフトバー９３は、駆動アーム８５の下面と当接することにより、この駆動アーム８５を回転軸Ｌ５を中心として回動させて、駆動アーム８５の先端に取り付けられた記録ペン９をリフト（昇降）させる。一方、下側の第２リフトバー９４は、駆動アーム８６の下面と当接することにより、この駆動アーム８６を回転軸Ｌ６を中心として回動させて、駆動アーム８６の先端に取り付けられた記録ペン９をリフト（昇降）させる。また、下側の第２リフトバー９４は、各第１支持アーム８の第１係合孔８ｂ内に挿通されて各第１支持アーム８と係合することにより、各第１支持アーム８を第３回転軸Ｌ３を中心として回動させる。したがって、各第１支持アーム８に支持された紙収納箱７も、第２支持アーム９２が操作レバー９１と第１支持アーム８との間のリンク機構として機能することにより、操作レバー９１の回動に連動して回動される。
【００３６】
次に、記録計１での紙収納箱７への記録紙１２の出し入れ時の動作について、記録ペン９のリフト動作と併せて説明する。なお、図３に示すように、操作レバー９１が最下位の第１位置に位置して、紙収納箱７は収納位置に位置し、かつ各記録ペン９は記録台６上に位置しているものとする。また、本例では一例として、折り畳み状の記録紙１２を使用する例について説明する。
【００３７】
この状態において、新たに記録紙１２を記録計１の紙収納箱７に収納するときには、まず、操作レバー９１を操作することにより、ペンリフト機構１１を作動させて、図３に示す状態にある紙収納箱７の上壁７５および各記録ペン９を記録台６から上方に離反させる（上方にリフトさせる）。
【００３８】
具体的には、操作レバー９１の操作端部側をパネル正面壁４５に形成されたガイド孔４５ａの下端から上端へ移動させることにより、操作レバー９１を図３に示す第１位置から図７に示す第３位置まで回動させる。この操作レバー９１の回動に連動して、上記したように、一対の第２支持アーム９２が正対した状態で回動し、これに伴い、各リフトバー９３，リフトバー９４も円弧状の軌跡を描いて上動する。このため、各リフトバー９３，リフトバー９４のうちの上側に位置する第１リフトバー９３は、駆動アーム８５の下面と当接することにより、この駆動アーム８５を回転軸Ｌ５を中心として上方に回動させる。これにより、駆動アーム８５の先端に取り付けられた記録ペン９が図７，８に示す位置までリフト（上昇）させられる。
【００３９】
また、各リフトバー９３，リフトバー９４のうちの下側に位置する第２リフトバー９４は、駆動アーム８６の下面と当接することにより、この駆動アーム８６を回転軸Ｌ６を中心として上方に回動させる。これにより、駆動アーム８６の先端に取り付けられた記録ペン９も、駆動アーム８５の先端に取り付けられた記録ペン９と連動して、図７，８に示す位置までリフト（上昇）させられる。さらに、第１支持アーム８の第１係合孔８ｂに挿通されている第２リフトバー９４は、各第１支持アーム８と係合することにより（第１係合孔８ｂの内周面と当接することにより）、各第１支持アーム８を第３回転軸Ｌ３を中心として上方に回動させる。これにより、各第１支持アーム８間に掛け渡された紙収納箱７も、送りローラ３の奥側において、第２回転軸Ｌ２を中心として上方に回動することにより、記録ペン９の上方への移動に連動して、図７，８に示すアクセス位置に移動させられる。
【００４０】
この状態では、紙収納箱７の上壁７５における部位７５ｂの先端が記録台６から大きく離間した位置にあり、かつ紙収納箱７の底板７１における正面側の縁部Ｂ２が記録台６の上端側とほぼ等しい高さの位置にあるため、紙収納箱７の内部へのアクセスが許容される状態（可能な状態）となる。この状態において、記録紙１２が、紙収納箱７内に収納され、かつその先端側がフロントパネル４の正面側に引き出されて、記録台６上に載置される。
【００４１】
次いで、操作レバー９１を操作することにより、ペンリフト機構１１を作動させて、図７，８に示す状態にある紙収納箱７および各記録ペン９を下方に移動させる。
【００４２】
具体的には、操作レバー９１の操作端部側をパネル正面壁４５に形成されたガイド孔４５ａに沿って上端から下端へ移動させることにより、操作レバー９１を下方に回動させて第３位置から第１位置に移動させる。この操作レバー９１の回動（移動）に連動して、一対の第２支持アーム９２が正対した状態で回動し、これに伴い、各リフトバー９３，リフトバー９４も円弧状の軌跡を描いて下動する。このため、第１リフトバー９３によってリフトされていた駆動アーム８５は回転軸Ｌ５を中心として下方に回動する。これにより、駆動アーム８５の先端に取り付けられた記録ペン９は図３，５に示す位置まで下降させられて、記録台６の記録紙１２と接触する。
【００４３】
また、第２リフトバー９４によってリフトされていた駆動アーム８６は回転軸Ｌ６を中心として下方に回動する。これにより、駆動アーム８６の先端に取り付けられた記録ペン９も、図３，５に示す位置まで下降させられて、記録台６の記録紙１２と接触する。さらに、第２リフトバー９４の下動により、第２リフトバー９４と係合する各第１支持アーム８も、第３回転軸Ｌ３を中心として下方に回動させられる。これにより、各第１支持アーム８間に掛け渡された紙収納箱７も、送りローラ３の奥側において、第２回転軸Ｌ２を中心として下方に回動することにより、記録ペン９の下方への移動に連動して図３，５に示す収納位置に移動させられる。また、この収納位置では、紙収納箱７の上壁７５により、紙収納箱７内へのアクセスが規制された状態となり、かつ記録台６上に載置された記録紙１２が押さえられた状態となる。これにより、記録ペン９による記録紙１２への波形などの記録が可能な状態となる。
【００４４】
また、この記録計１では、図３，５に示す記録紙１２への波形などの記録が可能な状態において、記録ペン９により記録紙１２への記録を中断して、手動で記録紙１２を記録計１から引き出すときには、図６に示すように、操作レバー９１の操作端部側をガイド孔４５ａに沿って下端から中間の位置に移動させることにより、操作レバー９１を上方に回動させて第１位置から第２位置に移動させる。
【００４５】
本例では、一対の第２支持アーム９２間に掛け渡された第２リフトバー９４が挿通された一対の第１支持アーム８の第１係合孔８ｂは三角形の孔で形成されて、第２リフトバー９４は、操作レバー９１が第１位置に位置しているときには、図３に示すように第１係合孔８ｂの上端（第１係合孔８ｂを構成する第１支持アーム８の内周面における上端）との間に隙間（若干の距離）が開く位置となり、操作レバー９１が第２位置に位置しているときには、図６に示すように第１係合孔８ｂの上端に初めて接触する位置となる。したがって、操作レバー９１の第２位置への移動により、第２支持アーム９２を上方へ回動させて各リフトバー９３，９４を同時に上方へ、第２リフトバー９４が第１係合孔８ｂの上端と当接する直前まで、または初めて当接するまで移動させることで、紙収納箱７を収納位置に維持したまま、つまり紙収納箱７の上壁７５による紙収納箱７内へのアクセスの規制、および記録紙１２の押さえを維持したまま、各記録ペン９を各リフトバー９３，９４で記録台６から離間させてリフト位置に移動させることが可能となる。この状態では、各記録ペン９が記録台６から離間した状態となっているため、記録ペン９による記録紙１２への不要な記録を回避しつつ、送りローラ３を回動させて、記録紙１２を正面側に引き出すことが可能となる。
【００４６】
このように、この記録計１では、一対の側壁２１，２２間（具体的には、側壁２１を構成するパネル側壁４１と側壁２２を構成するパネル側壁４２との間）に一対の送りローラ３が第１回転軸Ｌ１を中心として回動自在に一体的に取り付けられると共に、紙収納箱７が、操作レバー９１に対する操作に応じて、この送りローラ３の奧側において、記録紙１２載置用の底板７１と送りローラ３（言い換えれば、送りローラ３が収容される記録台６）とが近接するアクセス位置と、この底板７１と送りローラ３とが離間する収納位置との間で移動可能に一対の第１支持アーム８によって支持されている。したがって、この記録計１によれば、アクセス位置での紙収納箱７への記録紙１２の良好な着脱性を確保しつつ、送りローラ３を回転させるためのギア機構の分割を回避して装置コストの低減を図ることができる。
【００４７】
また、この記録計１では、紙収納箱７は、底板７１における奥側の縁部に上方に向けて立設された背板７２、および背板７２の上端から底板７１における正面側の縁部Ｂ２を越えて送りローラ３側に延出する上壁７５を有して構成され、上壁７５は、アクセス位置では正面側の縁部Ｂ２が記録台６から上方に離間した位置に位置して一対の側壁２１，２２の正面側からの紙収納箱７内部へのアクセスを可能とし、収納位置では正面側の縁部Ｂ２が記録台６と接触する位置に位置してアクセスを規制するように構成されている。したがって、この記録計１によれば、アクセス位置での紙収納箱７への記録紙１２の着脱性を確保しつつ、収納位置での紙収納箱７への不要なアクセスを上壁７５によって確実に防止することができる。また、紙収納箱７が収納位置に位置する状態において、上壁７５における正面側の縁部Ｂ２が記録台６と接触する状態にあるため、紙収納箱７の上壁７５が記録紙１２の押さえ（記録紙押さえ）としても機能することができ、記録紙押さえを別途設ける構成と比較して、記録計１の構成を簡略化することができる。
【００４８】
また、この記録計１によれば、記録台６がフロントパネル４に一体化されているため、記録台を別部材として製造した後にフロントパネルと連結させる構成と比較して、フロントパネル４に対する記録台６の取り付け精度を高めることができると共に、組み立て工程を簡略化することもできる。
【００４９】
なお、上記の記録計１では、送りローラ３については、一対の側壁２１，２２の正面側の位置に、各側壁２１，２２に対して直交する第１回転軸Ｌ１を中心として回転自在な状態で、かつ記録紙１２の幅に対応する距離だけ互いに離間した状態で一対配設する構成を採用しているが、必ずしも一対配設する必要はなく、少なくとも１つ配設されていればよい。
【符号の説明】
【００５０】
１  記録計
２  筐体
３  送りローラ
６  記録台
７  紙収納箱
８  第１支持アーム
９  記録ペン
１１  ペンリフト機構
１２  記録紙
２１，２２  一対の側壁
７１  底板
９１  操作レバー
Ｌ１  第１回転軸
Ｌ２  第２回転軸
Ｌ３  第３回転軸
【図１】
2012181125.tif 000003
【図２】
2012181125.tif 000004
【図３】
2012181125.tif 000005
【図４】
2012181125.tif 000006
【図５】
2012181125.tif 000007
【図６】
2012181125.tif 000008
【図７】
2012181125.tif 000009
【図８】
2012181125.tif 000010